(57)【特許請求の範囲】
【請求項１】
内部が中空の立体構造を有し所定の位置に出入口が形成されたキャビン本体と、このキャビン本体を家屋内部の床面に家屋から脱出可能に支持する支持部材と、キャビン本体の出入口に設けられ外部から施解錠操作可能な開閉扉と、キャビン本体内部に固定設置された生活道具とを備えた防災キャビンであって、
当該防災キャビンは、複数の、家屋とは別体の独立した分割キャビン８２，８３から構成され、
前記複数の分割キャビンのうち、１つの分割キャビン８２は家屋の１階に設置される一方別の分割キャビン８３は家屋の２階に設置され、
これらの分割キャビン同士は退避用通路９５により連通され、且つ前記分割キャビン同士は、各分割キャビンの出入り口以外からは外部からの侵入は不可能な閉状態に連通され、緊急事態に際して、前記分割キャビン同士の間で前記退避用通路９５を介して一方の分割キャビンから他方の分割キャビンへ移動可能であり、
キャビン本体の下部には車輪が取り付けられ、移動可能とし、
キャビン本体の外側の下半部分には、外側面から外方へ張り出した安定板が設けられ、また、
キャビン本体の内部の床下部分には複数の区画室が仕切り形成されるとともに、中心部の区画室には水が収容されて前記中心部の区画室とともに安定化錘体を構成している、
ことを特徴とする防災キャビン。
【請求項２】
１つの分割キャビンのキャビン本体の天井は蓋部材から成り、この蓋部材はキャビン本体中央部に立設された支柱によってキャビン本体に結合される一方、この支柱を外すことによってキャビン本体から除去可能であることを特徴とする請求項１記載の防災キャビン。
【請求項３】
キャビン本体の躯体外周全体に散水用の穴が複数個所に開けられた配管が施されていることを特徴とする請求項２記載の防災キャビン。
【発明の詳細な説明】
【技術分野】
【０００１】
本発明は防災キャビン、特に家屋の一部に設置され、通常は生活の場として使用される一方で、災害時には人間の身体を危険から防護し、且つ外敵（侵入者など）からは危害を受けないように防護する防災キャビンに関するものである。
【背景技術】
【０００２】
従来から、災害時に人間を保護するための方策に関心が持たれ、緊急時には被災者が逃げ込めるような装置が種々提案されている。このような装置の一例としては、一般に「核シェルター」や災害用シェルターと呼ばれる避難設備がある。前者は、中空の立体構造物の内部に数日分の食料と生活道具を備え、これを地中に埋めておき、外国からの核攻撃に遭遇しても核シェルターの中に逃げ込めることにより一定期間は生き延びることができるようにしたものである。後者も同様に中空の立体構造物の内部に数日分の食料と生活道具を備え、災害が発生したときなどにシェルターの中に逃げ込めるようにしたものである。先行技術としては、例えば特許文献１に示すようなものがある。
【先行技術文献】
【特許文献】
【０００３】
【特許文献１】特開２０１０−０４３５０６号公報
【発明の概要】
【発明が解決しようとする課題】
【０００４】
しかしながら、このような従来のシェルターのうち、核シェルターにあっては、核攻撃に耐えるために地中深くに埋められるものであり、一旦地中に埋められた場合は、出入りすることは可能であっても人間が生活していくのに頻繁に使用されるものではなく、せいぜい物置とか倉庫等に利用されるのみであった。また、特許文献１に示されたシェルターは、地震時の家屋倒壊から防護するために、２本の支柱部分とその上部間をつなぐ上枠部分、および支柱部分の底部間をつなぐ座枠部分とにより上部が窄まった台形枠状に形成される枠体構造物である。したがって、使用者を地震時の家屋倒壊から防護するが外敵から身を守ることは不可能である。
【０００５】
本発明は前記問題点に鑑みてなされたもので、その目的は、通常時においても家屋に設けられた部屋と同様に生活の場として使用される一方で、災害時には人間の身体を危険から防護し、時には家屋の倒壊を防ぐ防災キャビンを提供することである。
【課題を解決するための手段】
【０００６】
本発明は、前記目的を達成するため、内部が中空の立体構造を有し所定の位置に出入口が形成されたキャビン本体と、このキャビン本体を家屋内部の床面に家屋から脱出可能に支持する支持部材と、キャビン本体の出入口に設けられ外部から施解錠操作可能な開閉扉と、キャビン本体内部に固定設置された生活道具とを備えた防災キャビンであって、当該防災キャビンは、複数の、家屋とは別体の独立した分割キャビン８２，８３から構成され、前記複数の分割キャビンのうち、１つの分割キャビン８２は家屋の１階に設置される一方別の分割キャビン８３は家屋の２階に設置され、これらの分割キャビン同士は退避用通路９５により連通され、且つ前記分割キャビン同士は、各分割キャビンの出入り口以外からは外部からの侵入は不可能な閉状態に連通され、緊急事態に際して、前記分割キャビン同士の間で前記退避用通路９５を介して一方の分割キャビンから他方の分割キャビンへ移動可能であり、キャビン本体の下部には車輪が取り付けられ、移動可能とし、キャビン本体の外側の下半部分には、外側面から外方へ張り出した安定板が設けられ、また、キャビン本体の内部の床下部分には複数の区画室が仕切り形成されるとともに、中心部の区画室には水が収容されて前記中心部の区画室とともに安定化錘体を構成している、ことを特徴とする。
【発明の効果】
【０００７】
本発明の防災キャビンは、前記構成により、組み立てに当たっては組立部品を屋内に持ち込み、各部品の結合作業を行なうことで容易に組み立てることができる。そして、組み立て終わった後は、恰かも屋内に１つの部屋があるように、子供の勉強部屋として、或いは大人の書斎や作業部屋として日常生活の一環の中で使用することができる。そして、一旦地震等のような突発的な災害が起こった場合は、家屋が倒壊しても防災キャビンは破壊せず、人間を防護する。また、暴漢などが侵入した場合、一旦は１つの分割キャビンに逃げ込んで身を守ることができ、さらに危険な場合は、退避用通路９５を使って別の分割キャビンへ逃がれることが可能となる。
【図面の簡単な説明】
【０００８】
【図１】本発明の第１の実施の形態による防災キャビンの外観構造および家屋の内部への設置例を概略的に示す正面図である。
【図２】前記実施の形態の平面図である。
【図３】前記実施の形態に係る防災キャビンのキャビン本体の組み立て構造を概略的に示す一部破断正面図である。
【図４】前記実施の形態におけるキャビン本体へのキャップ部材と支柱の取り付け構造を示す概略斜視図である。
【図５】前記実施の形態における支柱の構造を示す断面図である。
【図６】前記実施の形態におけるキャップ部材および支柱立部材と支柱との結合の状態を示す分解正面図である。
【図７】前記実施の形態における防災キャビンの内部構造の一例を示す断面図である。
【図８】本発明の第２の実施の形態による防災キャビンの外観構造を概略的に示す斜視図である。
【図９】前記第２の実施の形態による防災キャビンおよびその家屋への取付け状態の一例を概略的に示す正面図である。
【図１０】防災キャビンの種々の外観構造例の１つとして円筒構造の壁部に半球構造の天井部を取り付けた防災キャビンの構造例を概略的に示す斜視図である。
【図１１】防災キャビンの種々の外観構造例の１つとしてかまぼこ型の防災キャビンの構造例を概略的に示す斜視図である。
【図１２】防災キャビンの種々の外観構造例の１つとしてロケット型の防災キャビンの構造例を概略的に示す斜視図である。
【図１３】本発明の第３の実施の形態による防災キャビンの構造および家屋の内部への設置例を概略的に示す正面図である。
【図１４】前記実施の形態に係る防災キャビンの、第２分割キャビンとして浴室が利用される場合の内部構造の具体例を示す正面図である。
【図１５】本発明による防災キャビンの第４の実施の形態を示す正面図である。
【図１６】本発明による防災キャビンの第４の実施の形態を示す平面図である。
【図１７】上記本発明の第４の実施の形態の変更例を示す正面図である。
【図１８】上記本発明の第４の実施の形態の変更例を示す平面図である。
【図１９】本発明の施の形態およびその変更例において、水に浮かんだ時の推進力を得るための駆動装置を示す図である。
【図２０】各実施の形態に係る防災キャビンの小道具としてのステッキを示す正面図である。
【図２１】図２０に示されたステッキに収納される花火を示す正面図である。
【図２２】本発明による防災キャビンの第５の実施の形態を示す斜視図である。
【図２３】上記第５の実施の形態に係る防災キャビンに設けられた配管の一部を例示的に示す正面図である。
【図２４】図２２に示された防災キャビンを通常の家屋へ設置した場合の一例を示す内部部分透視図である。
【図２５】図２２に示されたものと同様の機能を持つ防災キャビンを図９に示された家屋へ設置した場合の一例を示す内部部分透視図である。
【図２６】図２２に示されたものと同様の機能を持つ防災キャビンを図１３に示された家屋へ設置した場合の一例を示す内部部分透視図である。
【発明を実施するための形態】
【０００９】
（実施の形態１）
図１乃至図７は本発明による防災キャビンの第１の実施の形態を示す図である。これらの図において、符号１は本実施の形態に係る防災キャビンを示す。この防災キャビン１は全体が球形状の構成されており、その頂部から５分の１乃至３分の１の高さ部分で上側キャビン本体２と下側キャビン本体４との２つのキャビン本体を上下に分割可能に結合して構成されている。上側キャビン本体２および下側キャビン本体４は、どちらも、さらに複数のシェル部片２ａ、４ａをつなぎ合わせることによって構成されるようになっている。シェル部片２ａ、４ａはどのような形状に作られていてもよいが、この実施の形態の防災キャビン１が球体であることを考慮して上側頂点と下側頂点を球面に沿って結んだ縦向きの線（地球の経線に相当する）を、当該縦線とは直角の方向へ等角度間隔で複数引き、この縦線に沿って切り分けた形状であることが運搬の点でも好ましい。
【００１０】
各シェル部片２ａ、４ａは、図３に示すように外皮部材４３と、外皮部材の内側に装填された内層部材４４と、内層部材４４の内側面に張設されたシート４５とから成る。外皮部材４３は鋼材或いはステンレス材等の剛性の大きい材質から成り、各シェル部片２ａ、４ａの端縁部分で内側に折り曲げられてフランジ４６を形成している。内層部材４４は、例えば発泡スチロール等の材質から成り、防災キャビン１の内部を遮音、遮熱、或いは身体の一部を打ちつけたときの緩衝の役目をする。シート４５は内層部材４４が防災キャビン１の室内に剥き出しにならないようにするとともに、内層部材４４と同様緩衝の役目をする。そして、シェル部片２ａ同士またはシェル部片４ａ同士を結合する場合、およびシェル部片２ａとシェル部片４ａとを結合する場合は、図３に示すように各シェル部片２ａ、４ａのフランジ４６を突き合わせ、このフランジ４６の部分でボルト４７およびナット４８によって締め付け固定する。
【００１１】
防災キャビン１の内部には床８が作られ、この床８には窪みが形成されて食料ヒンジ部等の格納部９が設けられる。床８は、発泡スチロール、或いは畳、フローリング、木材等種々の床材に適したものによって作られる。或いは床部分に防災キャビン１の重しを兼ねて砂を敷いたり或いはコンクリートを打設し、その上に床板を張ってもよい。防災キャビン１の頂部すなわち上側キャビン本体２の頂点部分には、図４に示すように人間３４の大人が通り抜けできる程度の直径を有する開口１６が形成され、この開口１６は湾曲構造のキャップ部材１０によって閉鎖されている。キャップ部材１０は支柱１１によってキャビン本体２に押圧固定されている。支柱１１は、図５に示すように、上端が開放、下端が閉塞された中空路１９を内部に有する管状体から構成され、上端および下端部分にはねじ（おねじ）１２、１３が切られるとともに、下端部分のねじ１３よりもやや上方の管状部分側面には縦長形状のスリット孔２０が形成されている。ねじ１２とねじ１３とは、一方が右ねじ、他方が左ねじというように互いに反対の関係にねじ切りされている。一方、キャップ部材１０は裏側の湾曲凹部の頂部に突起部１７を有し、この突起部１７には下方に開口しねじ１２に螺合するねじ（めねじ）１８が切られている。また、キャップ部材１０の取り付け位置（キャビン頂部）に対向する床８上には支柱立部材１４がねじ部材１５によって固定取り付けされている。この支柱立部材１４は、上記キャップ部材１０と同様、中心部に突起部１７ａを有し、その突起部１４ａには上方に開口しねじ１３に螺合するねじ（めねじ）１８ａが切られている。そして上側キャビン本体２の頂点部分にキャップ部材１０を載置した状態で、図６に示すように支柱１１のおめじ１２、１３をキャップ部材１０および支柱立部材１４のめねじ１８、１８ａに係合させ、この支柱立部材１４を右または左のいずれかの向きに回転させると、キャップ部材１０および支柱立部材１４のいずれに対してもねじ締め付け力が働いてキャップ部材１０を上側キャビン本体２に締め付け固定する。また、これとは反対向きに支柱１１を回転させると、キャップ部材１０および支柱立部材１４のいずれに対してもねじを緩める力が働いてキャップ部材１０を上側キャビン本体２から外す作用を行なう。そして、支柱１１は、キャップ部材１０を上側キャビン本体２に締め付け固定した状態の下で、防災キャビン１の大黒柱としての機能も果たし、防災キャビン１に強度を与えている。なお、ねじ１２、１３とねじ１８、１８ａとの間のおねじ、めねじ関係は、一方がおねじ、他方がめねじであればいずれがおねじ（又はめねじ）であってもよい。
【００１２】
出来上がった防災キャビン１は家屋３の内部において床７の上に固定された支持台５の上に取付固定される。支持台５は床７にねじ、或いはボルト６等の締結部材によって固定され、この支持台５の上に防災キャビン１が載置されるとともに支持台５にボルト４９およびナット５０によって固定される。このとき、防災キャビン１と支持台５との間には、ゴムまたは合成樹脂等の材料から成る緩衝部材４２が介装される。防災キャビン１にはドア２５が取り付けられた出入口が設けられている。ドア２５には、外部から内部の様子が観察できるよう窓２６が設けられている。この防災キャビン１には、前記ドア２５以外に、複数の、人間３４の大人が通り抜けできる程度の直径を有する脱出用開口部が設けられている。この実施の形態では脱出用開口部は、地震等により家屋３が倒壊し、防災キャビン１が瓦礫に埋まったときに、自力或いは外部から人の手を借りて直接外へ逃げられるようにするためのもので、３個が防災キャビン１の球面の適当な位置に出来るかぎり均等な間隔をもって（つまり分散されて）配置されている。脱出用開口部を分散する理由は、災害時にいくつかの脱出用開口部が埋まっても他の脱出用開口部を使って脱出できるようにするためである。そして各脱出用開口部はそれぞれ扉２３、２４、５１によって閉鎖されている。扉５１をヒンジ５２によって取り付けた脱出用開口部は他の扉２３、２４を備えた脱出用開口部よりも高い位置に設けられており、災害時に下方の脱出用開口部が埋まって扉２３、２４が開けられないときは上の扉５１を開けて脱出する可能性を確保している。図３に示された脱出用開口部４０についてみると、この脱出用開口部４０には扉２３が取り付けられ、この扉２３は開口枠部分にヒンジ部材４１によって開閉可能に取り付けられ、またロック機構３９によって内側からでも外側からでもロック解除できるようになっている。他の扉２４、５１についても同様である。上記ドア２５についても、扉２３等と同様ヒンジ部材によって開閉可能に取り付けられ、またロック機構によって内側からでも外側からでもロック解除できるようになっている。
【００１３】
また、防災キャビン１と家屋３の側壁３５との間には脱出用通路３６が設けられている。この脱出用通路３６は、地震等により家屋３が倒壊し、防災キャビン１が瓦礫に埋まったときに、直接外へ逃げられるようにするためのもので、合成樹脂または金属製の、人間３４の大人が通り抜けできる程度の直径を有する筒体により構成され側壁３５を貫通して外部に開口している。そして脱出用通路３６の外部開口には蓋３７が被せられており、この蓋３７はロック機構３８によって脱出用通路３６の内側からロックされ、屋外からは蓋３７を開けられないようになっている。さらに、防災キャビン１には上記脱出用通路３６とは別に逃げ込み用通路３２が設けられ、防災キャビン１とこの防災キャビン１が設置された階（ここでは１階とする）の上の階である２階との間には、上記逃げ込み用通路３２を介して退避用通路３０が設けられている。この退避用通路３０は２階で火災が発生し、逃げ場を失った等の場合に２階にいる人を迅速に退避させられるようにするためのもので、合成樹脂または金属製の、人間３４の大人が通り抜けできる程度の直径を有する筒体によりすべり台の構造に構成され、２階の床２７に開けた開口２８から防災キャビン１の室内に連通している。開口２８には蓋２９が設けられている。退避用通路３０には、開口２８と防災キャビン１との間に正しく接続されるよう曲げに対して柔軟性を持たせるため、蛇腹構造の継手３１が設けられている。また、退避用通路３０には透明なガラスまたは透明な合成樹脂によって塞がれた窓３３が設けられ、退避用通路３０の内部が見えるようにしている。或いは退避用通路３０そのものを透明または半透明の合成樹脂等によって構成してもよい。
【００１４】
次に防災キャビン１内の設備について説明する。防災キャビン１の内部には、一般家屋の部屋と同様、ある程度通常の生活ができる設備を備える。そのために、図７に示すようにベッド５３、５４が設けられている。これらのベッド５３、５４は２段ベッド構造になっており、これらのベッド５３、５４を支えるために、防災キャビン１の内部には上記支柱１１とは別に柱５６が４本立設されている。そしてこれらの柱５６もまた、上記支柱１１と同様、防災キャビン１の外壁を支える支柱としての機能も果たし、防災キャビン１に強度を与えている。符号５５はベッド５３、５４に付設され、これらのベッド５３、５４に上るためのはしごである。このベッド５３、５４の他にも、例えば机や簡単な箪笥類を持ち込んで子供部屋として使用することができる。このように子供部屋として用いる場合は、防災キャビン１の外面に何等かのキャラクタの絵や世界地図、或いは天球の星座の図絵や宇宙船を模した絵等、種々の絵を描いておくと子供の夢を膨らませる効果があるとともに、人気が上がる。また、上記とは別に本棚を装備して書斎として使えば静かな勉強空間を得ることができる。さらに、作業机を持ち込んで作業室にしたり、ステレオセットや映像機器を装備して音楽鑑賞室とする等、種々の使い道がある。
【００１５】
かかる構成を有する防災キャビン１は、家屋３の内部に恰かも１つの部屋のように設置されているから、通常時にあっては、上記のように子供部屋として、或いは作業部屋として使用する。また、子供部屋として用いる場合は、人間（子供）３４が２階から退避用通路３０をすべり降りて遊んだり、支柱１１に登ったりと、様々な遊びをすることができる。
【００１６】
一方、地震等の災害が発生したときは防災キャビン１が中にいる人間３４を怪我等から守る。先にも述べたように、この防災キャビン１は家屋３の内部に１つの部屋として設置され日常生活のなかで使用されるものであるから、災害が突発的なものであっても、その発生時点で中に人間３４がいる確率が高く、その意味で災害が発生した後にわざわざ防災キャビン１の中に移動するという必要性が少ない。もちろん災害発生時に防災キャビン１の外にいた人間はドア２５を開けて防災キャビン１内に移動する。また、２階からは退避用通路３０を通って防災キャビン１内に移動する。そして、防災キャビン１の構造が球形などの外側からの圧力に強い構造である上に、鋼材等を使って強固に作ってあるので、仮に家屋３が倒壊しても防災キャビン１は破壊されることなく持ちこたえる。そして、防災キャビン１は破壊せず、却って倒壊しようとする家屋３を内側から支え、その倒壊を防ぐ働きもする。
【００１７】
防災キャビン１が家屋３の倒壊に持ちこたえたとしても、瓦礫の中に埋まることも考えられるが、この場合は、出入口と複数の脱出用開口部（この実施の形態では３個）が設けられており、しかも脱出用開口部は防災キャビン１の球面の適当な位置に分散されて配置されているから、出入口または脱出用開口部の幾つかが埋まっても、いずれか１つから外部へ出ることができる。また、瓦礫が邪魔をして防災キャビン１の内部からはドア２５や扉２３、２４、５１を開けられない場合でも、外部の人間が簡単に瓦礫の除去ができれば、この瓦礫を取り去った後外側からロック機構３９等を解除してドア２５や扉２３、２４、５１を開けることができる。
【００１８】
さらに、防災キャビン１の埋没が激しくてドア２５や扉２３、２４、５１を開けることができない場合は、脱出用通路３６を通ってその開口端に取り付けた蓋３７のロック機構３８を解除し、蓋３７を外してそこから直接家屋３の外へ脱出することができる。さらにこのような措置をとっても脱出が難しい場合は、防災キャビン１の支柱１１を、キャップ部材１０を取り付けるときとは逆向きに回転させると、キャップ部材１０が外れて開口１６が現れるから、この開口１６を脱出用開口部としてそこからも脱出することができる。また開口１６は開いたけれども脱出が無理である場合は、支柱１１のみを開口１６から出し、その先端を瓦礫の隙間から突き出して、予め装備してあった信号弾や発煙筒、或いは花火２１を支柱１１の中空路１９の中にセットし、これにマッチ等のような火種２２によって点火することにより空へ向けて発射させ、他人に自分自身の存在を知らせることができる。
【００１９】
（実施の形態２）
図８および図９は本発明の第２の実施の形態に係る防災キャビンの構造を示すものである。これらの図のうち、図８は第２の実施の形態の斜視図、図９は第２の実施の形態の家屋への組み付け状態を示す正面図である。この実施の形態に係る防災キャビンは、前記第１の実施の形態に係る防災キャビンが球形の外観構造を有していたのに対して、外観構造が立方体または直方体構造に造られている。
【００２０】
図８および図９において、符号６１は本実施の形態に係る防災キャビンを示す。この防災キャビン６１は、天井部６２と壁部６３とを有し平面矩形状すなわち立方体または直方体構造に組み立てられて成る。天井部６２および各四方の壁部６３はそれぞれ一枚板を成形して構成しても良いが、どちらも、さらに複数の天井部片６２ａ、或いは壁部片６３ａをつなぎ合わせることによって構成し、家屋３の中に持ち込んで組み立て易いようになっているのが好ましい。天井部片６２ａ、或いは壁部片６３ａはどのような形状に作られていてもよいが、この実施の形態の防災キャビン６１が立方体または直方体構造であることを考慮して天井部片６２ａ、壁部片６３ａはいずれも４角形状であることが運搬の点でも好ましい。そして天井部片６２ａおよび壁部片６３ａには、防災キャビン６１の強度（剛性）を大きくするために鉄板が用いられる。
【００２１】
天井部片６２ａおよび壁部片６３ａは４角形状の鉄板材から成るとともに、この４角形状の鉄板材の側縁部には適当なアングル部材が取り付けられる等によって組み付け易くしたり或いは補強が施される。そして、壁部片６３ａについてみると、１つの壁部片６３ａとこれに隣接する壁部片６３ａを平面でみて互いに直角になるように設置し、結合することによって壁部６３を構成する。また、天井部片６２ａと壁部片６３ａとの結合も同様にして行なう。さらにこの実施の形態に係る防災キャビン６１の家屋３への取付けに当たっては、図９に示すように、当該家屋３の一階天井部分に設けられているたる木６５に防災キャビン６１の天井部６２をねじやボルト等の適当な締結部材によって直接またはスペースを確保できる何らかの継手部材６７を介して固定結合する。また、家屋３の壁部や柱に防災キャビン６１の壁部６３をねじやボルト等の適当な締結部材によって固定結合する。さらに、家屋３の床７に防災キャビン６１の床部分をねじやボルト等の適当な締結部材によって固定結合する。また、上記防災キャビン６１の壁部６３には、適当な位置に窓６６を形成しておき、この窓６６が家屋３の窓３ｗと位置が合うように防災キャビン６１を設置すれば、防災キャビン６１の中から窓６６、３ｗを通して外の景色を見ることが出来、防災キャビン６１の中にいるという閉塞感を和らげることができる。
【００２２】
このようにして作られた防災キャビン６１の機能は前記第１の実施の形態の防災キャビン１と殆ど同じである。すなわち、防災キャビン６１の内部にも床が作られ、天井部６２には人間３４の大人が通り抜けできる程度の径を有する開口６８が形成されている。また、防災キャビン６１にはドア２５が取り付けられた出入口が設けられている。ドア２５には、外部から内部の様子が観察できるよう窓２６が設けられている。この防災キャビン６１には、前記ドア２５以外に、複数の、人間３４の大人が通り抜けできる程度の直径を有する脱出用開口部が複数個設けられている。この実施の形態では脱出用開口部は、地震等により家屋３が倒壊し、防災キャビン６１が瓦礫に埋まったときに、自力或いは外部から人の手を借りて直接外へ逃げられるようにするためのものである。
【００２３】
また、防災キャビン６１と家屋３の側壁３５との間には、必要に応じて第１の実施の形態におけると同様な脱出用通路３６が設けられていてもよい。次に防災キャビン６１内の設備についても前記第１の実施の形態における防災キャビン１の内部と同様である。
【００２４】
以上防災キャビンの構造として、第１の実施の形態は球形状、第２の実施の形態は立方体または直方体のものを挙げてきたが、この他にも種々の構造が考えられる。図１０乃至図１２はそのような種々の防災キャビンの別の構造例（変形例）を挙げたものであり、図１０は円筒構造の壁部７１に半球構造の天井部７２を取り付けた防災キャビン７０の構造例を示し、図１１はかまぼこ型構造の防災キャビン７５を示し、また図１２は子供に人気のありそうなロケット構造の防災キャビン８０を示している。さらに、防災キャビンを前記のように種々の構造にするとともに、前記第１の実施の形態においても説明したようにその外面に種々の模様や絵を描いて日常の生活に際して楽しむことができるようにしてもよい。５４の他にも、例えば机や簡単な箪笥類を持ち込んで子供部屋として使用することができる。
【００２５】
（実施の形態３）
図１３および図１４は本発明による防災キャビンの第３の実施の形態を示す図である。この実施の形態では、防災キャビンを２つ（又はそれ以上）の分割キャビンにより構成し、これらの分割キャビン間を閉状態に連通させることにより秘密裡に被防護者を移動させ、脱出を図るように構成されていることが特徴である。すなわち、図１３に示されているように、本実施の形態に係る防災キャビン８１は、家屋３の２階部分に設けられた第１分割キャビン８２と、同じ家屋３の１階部分に、第１分割キャビン８２とは独立した関係に設けられた第２分割キャビン８３とから成る。第１分割キャビン８２は、２階部分にあってボックス体構造を有し、ドア８４と、脱出口８５と、床面に開けられた脱出開口８６とを備えている。第１分割キャビン８２は、基本的には、第２の実施の形態に係る防災キャビン６１とほぼ同じ構成になっている。またこの第１分割キャビン８２は、家屋３とは別体の１つの独立したボックスを形成しており、ドアなどを閉鎖すれば外部からの侵入は不可能な構造になっている。
【００２６】
第２分割キャビン８３には、例えばその家の別の部屋、又は第１分割キャビンと同様な構造のボックス体が利用される。図１４は、第２分割キャビンとして浴室（ユニットバスなど）が利用される場合の内部構造の具体例を示す正面図である。浴室が利用されているから、浴槽８７、水道／給湯蛇口８８、およびシャワー具８９、洗い場９０が設けられている。それに加え、側壁には非常口９１、９２が設けられる一方、洗い場の床面にも地下通路９６を通って外部へ脱出できる非常口９３が設けられている。もちろん、非常口９３には内外出入り口にともに蓋が設けられている。また、この浴室は防災および防護の目的を持つから、壁および天井には浴室躯体を強固にするため、内部側（裏側）に補強フレーム９４（図１４中点線で表す）が設けられている。なお、上記脱出口８５、脱出開口８６、非常口９１、９２、９３などの脱出用の開口は、第１および第２の実施の形態における説明したのと同様、人間３４の大人が通り抜けできる程度の開口寸法を有する。なお、第２分割キャビン８４のである浴室の天井裏側は防災グッズなどの格納スペース９７が形成されている。
【００２７】
また、第１分割キャビン８２と第２分割キャビン８３との間には退避用通路９５が設けられている。この退避用通路９５は２階で緊急事態が発生し、第１分割キャビン８２へ逃げ込んでも安全を確保できずに逃げ場を失った等の場合に２階にいる人を迅速に退避させられるようにするためのものであり、上記第１の実施の形態における退避用通路３０と同じ材質、構成を有する。したがって、この退避用通路９５もまた、合成樹脂または金属製の、人間３４の大人が通り抜けできる程度の直径を有する筒体によりすべり台の構造に構成され、第１分割キャビン８２の床に開けた脱出開口８６から第２分割キャビン８３の内部に連通している。脱出開口８６には蓋が設けられており通常の状態では蓋は閉鎖されている。また、退避用通路９５には透明なガラスまたは透明な合成樹脂によって塞がれた窓が設けられ、退避用通路９５の内部が見えるようにしてもよい。或いは退避用通路９５そのものを透明または半透明の合成樹脂等によって構成してもよい。また、第１分割キャビン８２と第２分割キャビン８３とは、退避用通路９５のみによって接続され、且つ退避用通路９５自体の途中からその内部に侵入することは不可能な構造になっている。
【００２８】
かかる構成を有する防災キャビン１は、家屋３の内部に恰かも１つの部屋のように１階および２階に設置されているから、通常時にあっては、上記のように浴室として（１階）、或いは子供部屋やその他の目的を持つ部屋として（２階）使用する。
【００２９】
一方、地震等の災害が発生したときは第１分割キャビン８２又は第２分割キャビン８３が中にいる人間３４を怪我等から守る。本実施の形態では１階にも２階にも防災用のキャビンが設置されているから、何等かの緊急事態が発生したとき、家人はいずれかのキャビン８２又は８３に逃げ込めばよく、緊急避難が迅速に行える。また、２階にいて、第１分割キャビンに避難した人間３４はそれで避難行動は十分であるが、この場合においてさらに逃げる必要がある場合は退避用通路９５を通って第２分割キャビン８３内に移動する。これは、外部から不審者の侵入等があった場合に威力を発揮する。すなわち暴漢などが侵入した場合、一旦は第１分割キャビン８２に逃げ込んで身を守ることができるが、上記暴漢が２階へ移動して第１分割キャビン８２に危害を加えている間に退避用通路９５を使って１階へ逃がれ、屋外へ脱出することが可能となる。第１及び第２の実施の形態では２階部分はオープンスペースとなっているので、緊急事態が発生している間に退避用通路３０を使って１階へ逃がれることは極めて難しい。
【００３０】
地震等の場合、第２分割キャビン８３は鋼材等を使って強固に作ってあるので、仮に家屋３が倒壊しても防災キャビン８１は破壊されることなく持ちこたえる。そして、防災キャビン８１は破壊されず、却って倒壊しようとする家屋３を内側から支え、その倒壊を防ぐ働きもする。また、地震等の場合における瓦礫の中からの生還の可能性についても、上記第１、第２の実施の形態とほぼ同様である。
【００３１】
（実施の形態４）
図１５および図１６は本発明による防災キャビンの第４の実施の形態を示す図であり、図１５は正面図、図１６は平面図である。この実施の形態では、第１の実施の形態におけると同様に、防災キャビン１０１は内部が空洞で全体が球形状に構成されており、その頂部から５分の１乃至３分の１の高さ部分で上側キャビン本体１０２と下側キャビン本体１０４との２つのキャビン本体を上下に分割可能に結合して構成されている。上側キャビン本体１０２および下側キャビン本体１０３は、それぞれ一体の分割球体から成り、両部材の境界結合部分においてパッキンの介在の下にボルト・ナット締めにより気密状態を保って結合されている。なお、第１の実施の形態におけると同様、複数のシェル部片（図１で２ａ、４ａで表されている）をつなぎ合わせることによって構成されてもよい。本実施の形態における防災キャビン１０１の特徴は、倒壊家屋から脱出するときに、防災キャビン１０１全体が移動できるようにしてある点である。上記特徴を備えるために、防災キャビン１０１の下側キャビン本体１０３には車輪１０４が少なくとも４個、前後左右の関係に取り付けられている。車輪１０４はモータやエンジンのような駆動装置に連結されていてもよいし、或いは何ら駆動装置に連結されずに他の手段（人、車など）によって牽引されてもよい。
【００３２】
また、防災キャビン１０１の外部で、上下方向真ん中よりも下側の位置には、防災キャビン１０１の躯体に対して横方向に張り出した水平板状の安定板１０５が設けられている。この安定板１０５は防災キャビン１０１の周囲に全周にわたって延びていてもよいし、或いは図１６に示されているように防災キャビン１０１の一部の周囲に対称的に延びていてもよい。このように安定板１０５を設けることにより防災キャビン１０１が水に浮かんだときに、その姿勢を安定させることができる。
【００３３】
防災キャビン１０１の内部についてみると、内部に居住できるように床１０７が設置され、その床下部分には複数の区画室１０８、１０９、１１０が仕切り形成されている。区画室１０８及び１１０は防災キャビン１０１内部で短期間居住するのに必要な各種物資を収納するための収納室として用いられる。中央部の区画室１０９は防災キャビン１０１の中心位置を占めることから、生活用水（飲み水など）の貯蔵に用いられるのが好ましい。区画室１０９を生活用水の貯蔵庫として用いることは、上述したように防災キャビン１０１自体が水に浮かんだときに、水が安定化錘体として機能し、防災キャビン１０１の姿勢を安定させることができるというメリットもある。すなわち、起き上がりこぼしの原理を活用することができる。また、防災キャビン１０１内部には天井１１０も設けられ、この天井１１０と、床１０７との間にはパイプ製の支柱１１１が立設されている。これは防災キャビン１０１の強度を増大させるためのものである。さらに防災キャビン１０１の壁面には窓、或いは出入り口１１２が設けられている。これらの窓、或いは出入り口１１２はガラスなどで気密に塞がれ、且つ一部は開閉可能とされて、出入り口として用いられる。
【００３４】
図１７および図１８は上記本発明の第４の実施の形態の変更例を示す図であり、図１７は正面図、図１８は平面図である。この変更例に係る防災キャビン１２０は、外観構造が球体ではなく、いわゆるたまご型構造をしている点が上記第４の実施の形態とは異なる。この防災キャビン１２０は別体構造となっている上側キャビン本体１２１と下側キャビン本体１２２を合わせ、間にパッキンを介在させてボルト締めにより結合されてなる。防災キャビン１２０は内部が空洞である。上側キャビン本体１２１および下側キャビン本体１２２は、それぞれ一体の分割球体から成り、両部材の境界結合部分においてパッキンの介在の下にボルト・ナット締めにより気密状態を保って結合されている。なお、第１の実施の形態におけると同様、複数のシェル部片（図１で２ａ、４ａで表されている）をつなぎ合わせることによって構成されてもよい。本実施の形態における防災キャビン１２０もまた、その特徴は、倒壊家屋から脱出するときに、防災キャビン１２０全体が移動できるようにしてある点、及び水難にあっても浮遊できるように構成されている点である。上記特徴を備えるために、防災キャビン１２０の下側キャビン本体１２１には車輪１２４が少なくとも４個、前後左右の関係に取り付けられている。車輪１２４はモータやエンジンのような駆動装置に連結されていてもよいし、或いは何ら駆動装置に連結されずに他の手段（人、車など）によって牽引されてもよい。防災キャビン１２０が牽引されるために、その躯体にはフック１２５が設けられている。
【００３５】
防災キャビン１２０の内部についてみると、内部に居住できるように床１２７が設けられ、その下側には複数の区画室１２８、１２９、１３０が仕切り形成されている。区画室１２８及び１３０は防災キャビン１２０内部で短期間居住するのに必要な各種物資を収納するための収納室として用いられ、区画室１２９は防災キャビン１２０の中心位置を占めることから、生活用水（飲み水など）の貯蔵に用いられるのが好ましい。区画室１２９を生活用水の貯蔵庫として用いることは、上述したように防災キャビン１２０自体が水に浮遊したときに、その姿勢を安定させることができるというメリットもある。すなわち、起き上がりこぼしの原理を活用することができる。また、防災キャビン１２０内部には天井に張りわたされたパイプ製の支え梁１３１が設けられている。これは防災キャビン１２０の躯体強度を増大させるためのものである。さらに防災キャビン１２０の壁面には窓、或いは出入り口１３２が設けられている。これらの窓、或いは出入り口１３２はガラスなどで気密に塞がれ、且つ一部は開閉可能とされて、出入り口として用いられる。
【００３６】
図１９は第４の実施の形態およびその変更例が水に浮くタイプのものである点により、水に浮かんだ時の推進力を得るための駆動装置を示す図である。この駆動装置１３５は、モータ１３６と、モータ１３６に取り付けられたプロペラ１３７と、モータ１３６に取り付けられて上方に延びる支軸１３８と、支軸１３８の上端に設けられたハンドル１３９と、支軸１３８の上下中間部分設けられた取付固定具１４０とを有して成る。モータ１３６は、例えばバッテリー式のモータが用いられる。取付固定具１４０には掛金部材１４１が設けられ、この掛金部材１４１をフック１２５に結合させて防災キャビン１２０本体に取り付けることができる。これにより、防災キャビン１２０（或いは１０１）が水中に放り出されても駆動装置１３５の推進動作により危険な個所から離れることができる。
【００３７】
図２０は防災キャビンの小道具としてのステッキを示す。このステッキ１４１はパイプ部材から成り、その上端には鋭角構造の握り部１４２を有する。またパイプ状のステッキ本体１４３の内部には図２１に示されているような花火１４４（或いは発煙筒）を収納できるようになっており、非常時に救援用の合図を送ることができるようになっている。なお、災害時に花火や発煙筒を使うことは第１の実施の形態においても説明した。上記花火１４４は、第１の実施の形態においても使用できる。また、握り部１４２が鋭角構造であることから、防災キャビン１２０が水中に浮いているときに、別の浮遊物を引掛けて集めたりすることができる。
【００３８】
以上のように、この第４の実施の形態の防災キャビン１２０は水に浮くタイプのものであるため、地震等の災害時に河川の氾濫や津波の来襲があった場合でも、防災キャビン１２０自体は破壊されず、且つ浮遊移動し内部の人間を守ることができる。
【００３９】
（実施の形態５）
図２２は本発明による防災キャビンの第５の実施の形態を示す斜視図である。この実施の形態では、防災キャビンの躯体外周全体に配管を施し、この配管に水を供給して防災キャビンの周囲に散水し、防災キャビンを火災から防護するようにしたものである。この実施の形態は上述した各実施の形態に係る防災キャビンに適用可能である。図２２において、符号１５０は防災キャビンの躯体骨組みを表し、ドア１５１が取り付けられている以外は、壁や天井がまだ完成されていない状態を表す。この防災キャビン１５０は、この防災キャビン１５０が設置された階（ここでは１階とする）の上の階である２階との間には、退避用通路１５２が設けられている。この退避用通路１５２が設けられている目的、構成及び作用効果は第１の実施の形態における退避用通路３２と同じである。そしてこの防災キャビン１５０（より詳しくは、その躯体）は、複数の支柱１５３と、複数の梁１５４、および、支柱１５３と梁１５４の結合部間に連結されたすじかい１５５が相互に結合されて組み立てられている。支柱１５３、梁１５４、及びすじかい１５５は木材により構成されていてもよいが、防災の点からみると鉄骨などの頑丈で防火性のよい材料により構成されるのが好ましい。
【００４０】
さらに、上記支柱１５３と梁１５４に沿っては配管１５６が配設されている。配管１５６は、例えば金属管や合成樹脂製のパイプ等から構成され、図２２において、配管１５６は支柱１５３と梁１５４に沿って延びる点線（太点線）により示される。なお、配管１５６は、支柱１５３及び梁１５４のみならず、すじかい１５５に沿っても配設されていてもよい。配管１５６は少なくとも一端または配管途中の一部が、例えば水道或いは給水タンクのような水源設備にバルブを介して接続されている。水源設備としてのタンクには消火剤や水と消火剤の混合液（すなわち、消火材料）が貯蔵されていてもよい。また、配管１５６の全体の各所には複数の穴が開けられている。図２３は、配管１５６の一部を例示的に示す正面図であり、複数の穴１５７とバルブ１５８とが示されている。これによりバルブ１５８を開いて配管１５６に水を供給すると、配管１５６の全体において穴１５７から水が放出される。配管１５６の穴１５７は、防災キャビン１５０に対して外部に向けて水を放出する部位に開けられている。また、バルブ１５８の操作部は、少なくとも防災キャビン１５０の内部には取り付けられており、防災キャビン１５０の内部からバルブ１５８の開閉動作が可能にしてある。
【００４１】
以上の構成により、地震等の災害が発生したとき、防災キャビン１５０の外にいた人間はドア１５１を開けて防災キャビン１５０内に移動すれば防災キャビン１５０が中にいる人間を怪我等から守る。また、２階からは退避用通路１５２を通って防災キャビン１５０内に移動することもできる。そして、防災キャビン１５０が鋼材等を使って強固に作ってあることにより、仮に家屋が倒壊しても防災キャビン１５０は破壊されることなく持ちこたえる。そして防災キャビン１５０は破壊せず、却って倒壊しようとする家屋を内側から支え、その倒壊を防ぐ働きもする。さらに火災が発生したときは、バルブ１５８の操作により配管１５６に水或いは消火材料が供給され、これらの水等は穴１５７を通して防災キャビン１５０の周囲に散布され、防災キャビン１５０の中にいる人間を火災等から守る。さらに、周囲の家屋を火災から守ったり、鎮火させたりする。
【００４２】
図２４は、図２２に示された防災キャビン１５０を通常の家屋へ設置した場合の一例を示す内部部分透視図である。この設置例では、防災キャビン１５０は家屋（母屋）１５９の側方外部に設置されている。この場合、防災キャビン１５０は、母屋１５９とは別構造物として組み立てられ、構造的には独立状態にある。また、防災キャビン１５は鋼材などにより組み立てられており、母屋１５９よりも頑丈に作られている。また、防災キャビン１５に配管１５６が設置されていることは上述の通りであるが、図２４の例では、配管がさらに延長され、母屋の柱１６０や、梁１６１、さらには、屋根１６２にまで、配管１６３が配設されている。
【００４３】
これにより、火災が発生したときは、バルブ１５８の操作により配管１５６及び１６３に水或いは消火材料が供給され、これらの水等は穴１５７を通して防災キャビン１５０及び母屋１５９の周囲に散布され、防災キャビン１５０及び母屋１５９の中にいる人間を火災等から守り、さらに、周囲の家屋を火災から守ったり、鎮火させたりする。
【００４４】
図２５は、図２２に示されたものと同様の機能を持つ防災キャビン１５０を図９に示された家屋へ設置した場合の一例を示す内部部分透視図である。この設置例では、母屋１５９としては図９に示された家屋及び防災キャビンの構造が用いられ、その防災キャビンに配管１５６を配設することにより防災キャビン１５０が実現されている。そして、このような防災キャビン１５０の作用、効果としては先に図２２及び図２４を参照して説明されたものと同じである。
【００４５】
図２６は、図２２に示されたものと同様の機能を持つ防災キャビン１５０を図１３に示された家屋へ設置した場合の一例を示す内部部分透視図である。この設置例では、母屋１５９としては図１３に示された家屋及び防災キャビンの構造が用いられ、その防災キャビンに配管１５６を配設することにより防災キャビン１５０が実現されている。そして、このような防災キャビン１５０の作用、効果としては先に図２２及び図２４を参照して説明されたものと同じである。
【産業上の利用可能性】
【００４６】
以上説明したように、本発明によれば、家屋内部に設置され、複数の出入口を有する種々の構造の中空立体構造のキャビン本体と、キャビン本体の出入口に設けられ外部から施解錠操作可能な開閉扉と、キャビン本体内部に設備された生活および緊急道具と、キャビン本体と、このキャビン本体設置階の上の階の床面に接続され人間が通過可能な退避用通路とを備えた防災キャビンをとしたため、恰かも屋内に１つの部屋があるように日常生活の一環の中で使用することができる。そして、一旦地震等のような突発的な災害が起こった場合は、この防災キャビンは家屋等の構造体からは独立し、且つ球体直方体、立方体、その他の剛性構造等のような強固な構造体になっているので、家屋が倒壊しても防災キャビンは破壊せず、却って倒壊しようとする家屋を内側から支え、その倒壊を防ぐ。また、万が一家屋が倒壊してその下に閉じ込められても、防災キャビンは破壊せずに内部の人間を保護するとともに、家屋の下から脱出するときは、複数の出入口のうち、少なくとも１つの出入口を開閉することが可能である確率は高く、その開閉可能な出入口から脱出することができる等、種々の利点が得られる。また、防災キャビンが第１及び第２の分割キャビンに分かれている態様では、地震等のような突発的な災害が起こった場合は、家屋が倒壊しても防災キャビンは破壊せず、人間を防護する。また、暴漢などが侵入した場合、一旦は１つの分割キャビンに逃げ込んで身を守ることができ、さらに危険な場合は、退避用通路９５を使って別の分割キャビンへ逃がれることが可能となる。
【００４７】
また、防災キャビンが水に浮くタイプのものであるときは、地震等の災害時に河川の氾濫や津波の来週があった場合でも、防災キャビン自体は破壊されず、且つ浮遊移動し内部の人間を守ることができる。さらに防災キャビンに散水用の配管が配設されている場合は、火災が発生したときに、バルブの操作により配管に水或いは消火材料が供給され、これらの水等は穴を通して防災キャビンの周囲に散布され、防災キャビンの中にいる人間を火災等から守り、さらに、周囲の家屋を火災から守ったり、鎮火させたりする。以上により、緊急に避難したりより厳しい状況における避難が可能となり、有用性はより高くなる。
【符号の説明】
【００４８】
１，６１，７０，７５、８１、１２０、１５０  防災キャビン
２  上側キャビン本体
３、１５９  家屋
４  上側キャビン本体
５  支持台
１０  キャップ部材
１１  支柱
２３，２４，５１  扉
２５  ドア
３０、９５  退避用通路
３２  逃げ込み用通路
３６  脱出用通路
４０  脱出用開口
８２  第１分割キャビン
８３  第２分割キャビン
１５６，１６３  配管
【要約】      （修正有）【課題】通常時には日常生活の場として使用され、災害時には人間の身体を危険から防護し、家屋の倒壊を防ぐ防災キャビンを提供する。【解決手段】家屋３内部に設置され、複数の出入口を有する中空立体構造のキャビン本体と、キャビン本体の出入口に設けられ外部から施解錠操作可能な開閉扉と、キャビン本体内部に設備された生活および緊急道具と、キャビン本体設置階の上の階の床面に接続され人間が通過可能な退避用通路９５とを備えた防災キャビンである。防災キャビンは複数の分割キャビン８２，８３から構成され、退避用通路９５により連通されている。地震等の突発的な災害が起こった場合は、家屋が倒壊しても防災キャビンは破壊せず、人間を防護する。暴漢などが侵入した場合、１つの分割キャビンに逃げ込んで身を守ることができ、さらに危険な場合は、退避用通路９５を使って別の分割キャビンへ逃がれることが可能となる。【選択図】図１３【図１】
0005185449.tif 000002
【図２】
0005185449.tif 000003
【図３】
0005185449.tif 000004
【図４】
0005185449.tif 000005
【図５】
0005185449.tif 000006
【図６】
0005185449.tif 000007
【図７】
0005185449.tif 000008
【図８】
0005185449.tif 000009
【図９】
0005185449.tif 000010
【図１０】
0005185449.tif 000011
【図１１】
0005185449.tif 000012
【図１２】
0005185449.tif 000013
【図１３】
0005185449.tif 000014
【図１４】
0005185449.tif 000015
【図１５】
0005185449.tif 000016
【図１６】
0005185449.tif 000017
【図１７】
0005185449.tif 000018
【図１８】
0005185449.tif 000019
【図１９】
0005185449.tif 000020
【図２０】
0005185449.tif 000021
【図２１】
0005185449.tif 000022
【図２２】
0005185449.tif 000023
【図２３】
0005185449.tif 000024
【図２４】
0005185449.tif 000025
【図２５】
0005185449.tif 000026
【図２６】
0005185449.tif 000027